(57)【要約】【課題】パネルの製造コストを減少させ、プラズマディスプレイパネルの色温度及び発光効率を改善できるプラズマディスプレイ装置を提供する。【解決手段】本発明は、上部基板２０１と、上部基板２０１上に形成される第１電極２０２及び２電極２０３と、上部基板２０１と対向して配置される下部基板２１１と、下部基板２１１上に形成される第３電極２１３と、第３電極２１３が形成される方向に沿って形成される第１隔壁２１２ａと、第１隔壁２１２ａにより区画される放電セルを含むプラズマディスプレイ装置において、第１電極２０２と第２電極２９３のうちの少なくとも１つは単一層で形成され、当該放電セルのうちの第１放電セルを区画する第１隔壁２１２ａ間の距離と、第１放電セルと異なる色を発光する第２放電セルを区画する第１隔壁２１２ａ間の距離は互いに異なる。【選択図】図２
2007324115.tif 000002
【特許請求の範囲】
【請求項１】
上部基板と、前記上部基板上に形成される第１電極及び２電極と、前記上部基板と対向して配置される下部基板と、前記下部基板上に形成される第３電極と、前記第３電極が形成される方向沿って形成される第１隔壁と、前記第１隔壁により区画される放電セルと、を含むプラズマディスプレイ装置において、
前記第１電極と前記第２電極のうちの少なくとも１つは単一層で形成され、
前記放電セルのうち第１放電セルを区画する前記第１隔壁間の距離と、前記放電セルのうち前記第１放電セルと異なる色を発光する第２放電セルを区画する前記第１隔壁間の距離は、互いに異なることを特徴とするプラズマディスプレイ装置。
【請求項２】
前記第１電極と前記第２電極のうちの少なくとも１つは、
前記第３電極と交差する方向に形成されているライン部と、
前記ライン部から突出した突出部と、を含むことを特徴とする請求項１に記載のプラズマディスプレイ装置。
【請求項３】
前記第１電極と第２電極とを覆う上部誘電体層を更に含み、
前記第１電極と前記第２電極のうちの少なくとも１つは、前記上部誘電体層よりも色が暗いことを特徴とする請求項２に記載のプラズマディスプレイ装置。
【請求項４】
前記第１放電セルを区画する前記第１隔壁間の距離は、
前記第２放電セルを区画する前記第１隔壁間の距離よりも短いことを特徴とする請求項１に記載のプラズマディスプレイ装置。
【請求項５】
前記第２放電セルを区画する第１隔壁間の距離は、
前記第１放電セルを区画する第１隔壁間の距離の１.０１倍〜１.２倍であることを特徴とする請求項１に記載のプラズマディスプレイ装置。
【請求項６】
前記第２放電セルを区画する第１隔壁間の距離は、
前記第１放電セルを区画する第１隔壁間の距離の１.０３倍〜１.０９倍であることを特徴とする請求項１に記載のプラズマディスプレイ装置。
【請求項７】
前記第１放電セルはレッド（Ｒｅｄ)光を発光するセルであり、前記第２放電セルはグリーン（Ｇｒｅｅｎ）光またはブルー（Ｂｌｕｅ）光を発光するセルであることを特徴とする請求項１に記載のプラズマディスプレイ装置。
【請求項８】
前記ライン部は２つ以上であり、前記２つ以上のライン部のうちの互いに隣接する２つのライン部間の間隔は８０μｍ〜１２０μｍであることを特徴とする請求項２に記載のプラズマディスプレイ装置。
【請求項９】
前記突出部は少なくとも１つの閉ループを形成することを特徴とする請求項２に記載のプラズマディスプレイ装置。
【請求項１０】
前記突出部は２つ以上であることを特徴とする請求項２に記載のプラズマディスプレイ装置。
【請求項１１】
上部基板と、前記上部基板上に形成される第１電極及び２電極と、前記上部基板と対向して配置される下部基板と、前記下部基板上に形成される第３電極と、前記第３電極の形成される方向に沿って形成される第１隔壁と、前記第１隔壁により区画される放電セルと、を含むプラズマディスプレイ装置において、
前記第１電極と前記２電極のうちの少なくとも１つは単一層で形成され、
前記放電セルのうちの互いに隣接するように配列されている第１放電セルを区画する前記第１隔壁間の距離と、前記放電セルのうち前記第１放電セルと異なる色を発光する第２放電セルを区画する前記第１隔壁間の距離と、前記第１放電セル及び前記第２放電セルと異なる色を発光する第３放電セルを区画する前記第１隔壁間の距離は、互いに異なることを特徴とするプラズマディスプレイ装置。
【請求項１２】
前記第１放電セルを区画する第１隔壁間の距離は、
前記第２放電セルを区画する第１隔壁間の距離よりも短いことを特徴とする請求項１１に記載のプラズマディスプレイ装置。
【請求項１３】
前記第２放電セルを区画する第１隔壁間の距離は、
前記第３放電セルを区画する第１隔壁間の距離よりも短いことを特徴とする請求項１１に記載のプラズマディスプレイ装置。
【請求項１４】
前記第１放電セルはレッド（Ｒｅｄ)光を発光するセルであり、前記第２放電セルはグリーン（Ｇｒｅｅｎ）光を発光するセルであり、前記第３放電セルはブルー（Ｂｌｕｅ)光を発光するセルであることを特徴とする請求項１１に記載のプラズマディスプレイ装置。
【請求項１５】
前記第１放電セルを区画する第１隔壁間の距離は、
前記第２放電セルを区画する第１隔壁間の距離の０.８０倍〜０.９９倍であることを特徴とする請求項１１に記載のプラズマディスプレイ装置。
【請求項１６】
前記第３放電セルを区画する第１隔壁間の距離は、
前記第２放電セルを区画する第１隔壁間の距離の１.０１倍〜１.２倍であることを特徴とする請求項１１に記載のプラズマディスプレイ装置。
【請求項１７】
前記第１電極と前記２電極のうちの少なくとも１つは、
前記第３電極と交差する方向に形成されているライン部と、
前記ライン部から突出した突出部と、を含むことを特徴とする請求項１１に記載のプラズマディスプレイ装置。
【請求項１８】
前記第１電極と前記２電極を覆う上部誘電体層を更に含み、
前記第１電極と前記２電極のうちの少なくとも１つは前記上部誘電体層よりも色が暗いことを特徴とする請求項１１に記載のプラズマディスプレイ装置。
【請求項１９】
前記突出部は２つ以上であることを特徴とする請求項１１に記載のプラズマディスプレイ装置。
【請求項２０】
上部基板と、前記上部基板上に形成される第１電極及び２電極と、前記上部基板と対向して配置される下部基板と、前記下部基板上に形成される第３電極と、前記第３電極の形成される方向に沿って形成される第１隔壁と、前記第１隔壁により区画される放電セルと、を含むプラズマディスプレイ装置において、
前記第１電極と前記２電極のうちの少なくとも１つは単一層で形成され、
前記放電セルのうちの第１放電セルを区画する前記第１隔壁間の距離と、前記放電セルのうちの前記第１放電セルと異なる色を発光する第２放電セルを区画する前記第１隔壁間の距離は、互いに異なり、
前記第１放電セル及び前記第２放電セルにより構成されるパネルの有効表示領域全体における開口率が２５％〜４５％であることを特徴とするプラズマディスプレイ装置。
【発明の詳細な説明】
【技術分野】
【０００１】
本発明はプラズマディスプレイ装置に関し、より詳細には、パネルの製造コストを低減でき、色温度を向上させて画面のコントラスト及び輝度を向上させることができるプラズマディスプレイ装置に関する。
【背景技術】
【０００２】
通常、プラズマディスプレイパネル（Ｐｌａｓｍａ Ｄｉｓｐｌａｙ Ｐａｎｅｌ）は放電空間に設置された電極に所定の電圧を印加して放電を起こし、ガス放電時に発生するプラズマが蛍光体を励起させることで、文字またはグラフィックを含む画像を表示する装置である。プラズマディスプレイパネルには、大型化、軽量化及び平面薄型化が容易であり、上下左右に広い視野角を提供し、プルカラー及び高輝度を実現することが可能であるという長所がある。
【０００３】
図１は、一般のプラズマディスプレイパネルの構造を示す図である。図１を参照すれば、プラズマディスプレイパネルは、画像が表示される上部基板１０１上にスキャン電極１０２及びサステイン電極１０３が対を成して形成されている複数の維持電極対が配列された上部パネル１００と、背面を成す下部基板１１１上にスキャン電極１０２及びサステイン電極１０３と交差するように複数のアドレス電極１１３が配置された下部パネル１１０と、が一定距離をおいて平行に配置される。
【０００４】
上部パネル１００には、透明なＩＴＯ（Ｉｎｄｉｕｍ Ｔｉｎ Ｏｘｉｄｅ）で形成された透明電極１０２ａ、１０３ａと、バス電極１０２ｂ、１０３ｂと、が備えられたスキャン電極１０２及びサステイン電極１０３が対を成して含まれる。スキャン電極１０２及びサステイン電極１０３は、上部誘電体層１０４により覆われ、上部誘電体層１０４上には保護層１０５が形成されている。当該保護層１０５は、ガス放電時に発生する荷電粒子のスパッタリングから上部誘電体層１０４を保護し、２次電子の放出効率を向上させる。
【０００５】
下部パネル１１０は放電セルを区画するための隔壁１１２を含む。また、複数のアドレス電極１１３が隔壁１１２に対して平行に配置される。アドレス電極１１３上にはＲ（Ｒｅｄ）、Ｇ（Ｇｒｅｅｎ)、Ｂ（Ｂｌｕｅ）の蛍光体１１４が塗布される。アドレス電極１１３と蛍光体１１４との間には下部誘電体層１１５が形成される。
【０００６】
一方、従来のプラズマディスプレイパネルのスキャン電極１０２またはサステイン電極１０３を構成する透明電極１０２ａ、１０３ａは、高価のＩＴＯからなる。透明電極１０２ａ、１０３ａは、プラズマディスプレイパネルの製造コストを上昇させる原因となっている。従って、最近では、製造コストを低減し、使用者が視聴するのに充分な視感特性及び駆動特性を確保できるプラズマディスプレイパネルの製造に力を入れている。
【発明の開示】
【発明が解決しようとする課題】
【０００７】
そこで、本発明は上記従来技術の問題点を解決するためになされたものであって、その目的とするところは、プラズマディスプレイ装置に備えられるパネルにおいて、ＩＴＯからなる透明電極を除去することによってパネルの製造コストを減少させ、また、プラズマディスプレイパネルの色温度及び発光効率を改善できるプラズマディスプレイ装置を提供することにある。
【課題を解決するための手段】
【０００８】
上記課題を解決するための本発明の第１側面に係るプラズマディスプレイ装置は、上部基板と、前記上部基板上に形成される第１電極及び２電極と、前記上部基板と対向して配置される下部基板と、前記下部基板上に形成される第３電極と、前記第３電極の形成される方向に沿って形成される第１隔壁と、前記第１隔壁により区画される放電セルと、を含むプラズマディスプレイ装置において、前記第１電極と前記第２電極のうちの少なくとも１つは単一層で形成され、前記放電セルのうち第１放電セルを区画する前記第１隔壁間の距離は、前記放電セルのうち前記第１放電セルと異なる色を発光する第２放電セルを区画する前記第１隔壁間の距離と互いに異なることを特徴とする。
【０００９】
また、前記第１電極と前記第２電極のうちの少なくとも１つは、前記第３電極と交差する方向に形成されているライン部と、前記ライン部から突出した突出部と、を含むことが好ましい。さらに、前記第１電極と前記２電極とを覆う上部誘電体層を更に含み、前記第１電極と前記２電極のうちの少なくとも１つは前記上部誘電体層よりも色が暗いことが好ましい。また、前記ライン部は２つ以上であり、前記２つ以上のライン部のうちの互いに隣接する２つのライン部間の間隔は８０μｍ〜１２０μｍであることが好ましく、また、前記突出部は少なくとも１つの閉ループを形成することが好ましく、前記突出部は２以上であることが好ましい。
また、前記第１放電セルを区画する前記第１隔壁間の距離は、前記第２放電セルを区画する前記第１隔壁間の距離よりも短いことが好ましく、前記第２放電セルを区画する第１隔壁間の距離は、前記第１放電セルを区画する第１隔壁間の距離の１.０１倍〜１.２倍、または、１．０３倍〜１．０９倍であることが好ましい。
【００１０】
また、前記第１放電セルはレッド（Ｒｅｄ)光を発光するセルであり、前記第２放電セルはグリーン（Ｇｒｅｅｎ）光またはブルー（Ｂｌｕｅ）光を発光するセルであることが好ましい。
【００１１】
本発明の第２側面に係るプラズマディスプレイ装置は、上部基板と、前記上部基板上に形成される第１電極及び第２電極と、前記上部基板と対向して配置される下部基板と、前記下部基板上に形成される第３電極と、前記第３電極の形成される方向に沿って形成される第１隔壁と、前記第１隔壁により区画される放電セルと、を含むプラズマディスプレイ装置において、前記第電極と前記第２電極のうちの少なくとも１つは単一層で形成され、前記放電セルのうちの互いに隣接するように配列されている第１放電セルを区画する前記第１隔壁間の距離と、前記放電セルのうちの前記第１放電セルと異なる色を発光する第２放電セルを区画する前記第１隔壁間の距離と、前記第１放電セル及び前記第２放電セルと異なる色を発光する第３放電セルを区画する第１隔壁間の距離は、互いに異なることを特徴とする。
【００１２】
また、前記第１放電セルを区画する第１隔壁間の距離は、前記第２放電セルを区画する第１隔壁間の距離よりも短いことが好ましく、また、前記第２放電セルを区画する第１隔壁間の距離は、前記第３放電セルを区画する第１隔壁間の距離よりも短いことが好ましい。
【００１３】
また、前記第１放電セルはレッド（Ｒｅｄ)光を発光するセルであり、前記第２放電セルはグリーン（Ｇｒｅｅｎ）光を発光するセルであり、前記第３放電セルはブルー（Ｂｌｕｅ)光を発光するセルであることが好ましい。
【００１４】
また、前記第１放電セルを区画する第１隔壁間の距離は、前記第２放電セルを区画する第１隔壁間の距離の０.８０倍〜０.９９倍であることが好ましく、また、前記第３放電セルを区画する第１隔壁間の距離は、前記第２放電セルを区画する第１隔壁間の距離の１.０１倍〜１.２倍であることが好ましい。
【００１５】
また、前記第１電極と前記２電極のうちの少なくとも１つは、前記第３電極と交差する方向に形成されているライン部と、前記ライン部から突出した突出部と、を含むことを特徴とする。
【００１６】
また、前記第１電極と前記２電極を覆う上部誘電体層を更に含み、前記第１電極と前記２電極のうちの少なくとも１つは前記上部誘電体層よりも色が暗いことが好ましく、また、前記突出部は２以上であることが好ましい。
【００１７】
本発明の他の側面に係るプラズマディスプレイ装置は、上部基板と、前記上部基板上に形成される第１電極及び第２電極と、前記上部基板と対向して配置される下部基板と、前記下部基板上に形成される第３電極と、前記第３電極の形成される方向に沿って形成される第１隔壁と、前記第１隔壁により区画される放電セルと、を含むプラズマディスプレイ装置において、前記第１電極と前記２電極のうちの少なくとも１つは単一層で形成され、前記放電セルのうちの第１放電セルを区画する前記第１隔壁間の距離と、前記放電セルのうちの前記第１放電セルと異なる色を発光する第２放電セルを区画する前記第１隔壁間の距離は、互いに異なり、前記第１放電セル及び前記第２放電セルにより構成されるパネルの有効表示領域全体における開口率が２５％〜４５％であることを特徴とする。
【発明の効果】
【００１８】
上述したように構成される本発明に係るプラズマディスプレイ装置によれば、第１電極と第２電極のうちの少なくとも１つを単一層で形成する、即ち、ＩＴＯからなる透明電極を除去して形成することにより、パネルの製造コストを低減させることができ、また、Ｒ、Ｇ、Ｂ放電セルの大きさをそれぞれ非対称的に形成することにより、プラズマディスプレイパネルの色温度及び発光効率を向上させることができるという効果を奏する。
【発明を実施するための最良の形態】
【００１９】
以下、添付図面を参照して、本発明に係るプラズマディスプレイ装置について詳細に説明する。
【００２０】
但し、本発明に係るプラズマディスプレイ装置は、本明細書に記載される実施形態に限定されるのでなく、多数の実施形態が存在し得ることを明示する。
【００２１】
図２は、本発明に係るプラズマディスプレイ装置に備えられるプラズマディスプレイパネルの構造に関する一実施形態を示す図である。
【００２２】
図２を参照すれば、プラズマディスプレイパネルは、所定の間隔をおいて貼り合わされる上部パネル２００と下部パネル２１０と、を含む。
【００２３】
上部パネル２００は、上部基板２０１上に対を成して形成される維持電極対２０２、２０３を含み、維持電極対２０２、２０３は、その機能によってスキャン電極２０２とサステイン電極２０３とに分類される。維持電極対２０２、２０３は、放電電流を制限し、電極対間を絶縁させる上部誘電体層２０４によって覆われている。また、上部誘電体層２０４の上面には保護膜層２０５が形成されて、ガス放電時に発生する荷電粒子のスパッタリングから上部誘電体層２０４を保護し、２次電子の放出効率を向上させる。
【００２４】
下部パネル２１０は、下部基板２１１上に複数個の放電空間、すなわち放電セルを区画する隔壁２１２が形成される。また、アドレス電極２１３が維持電極対２０２、２０３に交差する方向に配置され、下部誘電体層２１５と隔壁２１２の表面にはガス放電時に発生した紫外線により発光して可視光を発生する蛍光体２１４が塗布される。
【００２５】
このとき、隔壁２１２はアドレス電極２１３と同一方向に形成されている縦隔壁２１２ａと、アドレス電極２１３と交差する方向に形成されている横隔壁２１２ｂとで構成され、放電セルを物理的に区分し、放電により生成された紫外線と可視光が隣接する放電セルに漏れるのを防止する。
【００２６】
このような隔壁２１２ａ、２１２ｂで覆われている放電セル内には、ネオン（Ｎｅ）、ヘリウム（Ｈｅ）またはネオン及びヘリウムの混合気体（Ｎｅ＋Ｈｅ）などを含む主放電気体と、少量のキセノンを含有する不活性ガスが充填されている。このとき、パネル内のガスの圧力は３５０Ｔｏｒｒ〜５００Ｔｏｒｒであることが好ましい。この場合、放電効率を高めるために適切な量のガスが充填され、パネルの製造工程時のガス圧力による製造上の困難さを解決し、容易に製造することができる。
【００２７】
また、本発明の実施形態に係るプラズマディスプレイパネルにおいて、維持電極対２０２、２０３は、図１に示す従来の維持電極対１０２、１０３と異なり、不透明な金属電極のみからなる。すなわち、従来の透明電極材質であるＩＴＯを使用せず、従来のバス電極の材質である銀（Ａｇ）、銅（Ｃｕ）またはクロム（Ｃｒ）などを用いて維持電極対２０２、２０３を形成する。すなわち、本発明の実施形態に係るプラズマディスプレイパネルの維持電極対２０２、２０３のそれぞれは、従来のＩＴＯ電極を含まず、１つのバス電極のみからなる単一層（ｏｎｅ ｌａｙｅｒ）で構成される。
【００２８】
例えば、本発明の実施形態に係る維持電極対２０２、２０３のそれぞれを銀で形成することが好ましく、銀（Ａｇ）は感光性性質を有することが好ましい。また、本発明の実施形態に係る維持電極対２０２、２０３のそれぞれは、上部基板２０１に形成される上部誘電体層２０４よりも色が暗く、光の透過度が更に低い性質を有することが好ましい。
【００２９】
電極ライン２０２ａ、２０２ｂ、２０３ａ、２０３ｂの厚さは、３μｍ〜７μｍであることが好ましい。電極ライン２０２ａ、２０２ｂ、２０３ａ、２０３ｂが上記のような範囲の厚さに形成される場合、プラズマディスプレイパネルが正常動作可能な抵抗の範囲及び必要な開口率を有することで、ディスプレイ装置の前面から反射されて出る光が当該電極で塞がれ、映像の輝度が減少することを防止でき、パネルのキャパシタンスが大きく増加しなくなる。
【００３０】
また、放電セルに塗布された蛍光体は、Ｒ（Ｒｅｄ）、Ｇ（Ｇｒｅｅｎ)、Ｂ（Ｂｌｕｅ）のうちの少なくとも何れか１つの色を発光でき、本明細書に記載するように、それぞれの放電セルには、Ｒ、Ｇ、Ｂの順に蛍光体を塗布することができる。このとき、放電セルの大きさをＲ、Ｇ、Ｂ放電セルの順に互いに異なるように形成することができるが、Ｂ放電セルの大きさが最も大きいことが好ましい。これは、蛍光体２１４の塗布面積をＲ、Ｇ、Ｂの順に大きくすることで、色温度の上昇によるパネルの輝度増加を期待でき、青色（Ｂ）の相対的な増加によりパネルで表示される画像の白色純度の向上を期待できるからである。
【００３１】
図３は、プラズマディスプレイパネルの電極配置に関する一実施形態を示す図である。
【００３２】
図３を参照すれば、プラズマディスプレイパネルを構成する複数の放電セルは、スキャン電極ラインＹ１〜Ｙｍと、サステイン電極ラインＺ１〜Ｚｍと、アドレス電極ラインＸ１〜Ｘｎとの交差部分にそれぞれ位置し、マトリクス状に配置されることが好ましい。スキャン電極Ｙ１〜Ｙｍは順次駆動され、サステイン電極Ｚ１〜Ｚｍは共通して駆動される。アドレス電極ラインＸ１〜Ｘｎは奇数番目のラインと偶数番目のラインとに分けて駆動される。
【００３３】
図３に示す電極配置は、本発明に係るプラズマディスプレイパネルの電極配置に対する一実施形態に過ぎないので、本発明は図３に示すプラズマディスプレイパネルの電極配置及び駆動方式に限定されない。例えば、スキャン電極ラインＹ１〜Ｙｍのうちの２個のスキャン電極ラインが同時に駆動されるデュアルスキャン（ｄｕａｌ ｓｃａｎ）方式や、ダブルスキャン（ｄｏｕｂｌｅ ｓｃａｎ）方式も可能である。ここで、デュアルスキャン方式は、プラズマディスプレイパネルを上下２つの領域に分けて、上部領域と下部領域のそれぞれに属しているスキャン電極ラインを１つずつ同時に駆動する方式である。また、ダブルスキャン方式は、連続して配置された２つのスキャン電極ラインを同時に駆動する方式である。
【００３４】
図２に示す本発明に係るプラズマディスプレイパネル構造の第１実施形態について、以下の図４を通じてより詳細に説明する。
【００３５】
図４は、本発明に係るプラズマディスプレイパネルの電極構造に関する第１実施形態を示す断面図である。ここでは、図２に示すプラズマディスプレイパネルのうち、１つの放電セル内に形成される維持電極対２０２、２０３の配置構造のみを簡略に示す。
【００３６】
図４に示すように、本発明の第１実施形態に係る維持電極対２０２、２０３は、基板上に放電セルの中心を基準として対を成して対称に形成される。維持電極対のそれぞれは、放電セルを横切る少なくとも２つの電極ライン２０２ａ、２０２ｂ、２０３ａ、２０３ｂを含むライン部と、放電セルの中心に最も近い電極ライン２０２ａ、２０３ａに連結され、放電セル内で放電セルの中心方向に突出する少なくとも１つの突出電極２０２ｃ、２０３ｃを含む突出部からなる。また、図４に示すように、維持電極対２０２、２０３のそれぞれは、２つの電極ライン（２０２ａと２０２ｂ、２０３ａと２０３ｂ）を連結する１つのブリッジ電極（２０２ｄ、２０３ｄ）を更に含むことが好ましい。
【００３７】
電極ライン２０２ａ、２０２ｂ、２０３ａ、２０３ｂは、放電セルを横切って、プラズマディスプレイパネルの一方向に延びる。本発明の第１実施形態に係る電極ラインは、開口率を向上させるために幅を狭く形成する。また、放電拡散効率を向上させるために、複数個の電極ライン（２０２ａ、２０２ｂ、２０３ａ、２０３ｂ）を用いるが、このとき、開口率を考慮して電極ラインの個数を決定することが好ましい。
【００３８】
突出電極２０２ｃ、２０３ｃは、１つの放電セル内で放電セルの中心に最も近い電極ライン２０２ａ、２０３ａに連結され、放電セルの中心方向に突出することが好ましい。突出電極２０２ｃ、２０３ｃは、プラズマディスプレイパネルが駆動する際に放電開始電圧を下げる。電極ライン２０２ａ、２０３ａ間の距離ｃにより放電開始電圧が増加するため、本発明の第１実施形態では、電極ライン２０２ａ、２０３ａのそれぞれに連結される突出電極２０２ｃ、２０３ｃを備える。近い距離に形成されている突出電極２０２ｃ、２０３ｃ間では、低い放電開始電圧でも放電が開始されるので、プラズマディスプレイパネルの放電開始電圧を下げることができる。ここで、放電開始電圧とは、維持電極対２０２、２０３のうちの少なくとも何れかの電極にパルスを供給するとき、放電が開始する電圧レベルをいう。
【００３９】
このような突出電極２０２ｃ、２０３ｃは大きさが極めて小さいため、製造工程の公差により実質的に突出電極２０２ｃ、２０３ｃの電極ライン２０２ａ、２０３ａと連結される部分の幅Ｗ１が突出電極の終端部分の幅Ｗ２よりも広く形成されるが、必要に応じて連結部分の幅Ｗ１を終端の幅Ｗ２をより広くすることも可能である。
【００４０】
維持電極対２０３、２０２のそれぞれを構成する隣接する２つの電極ライン間の間隔、すなわち電極ライン２０３ａと電極ライン２０３ｂとの間隔、または、電極ライン２０２ａと２０２ｂとの間隔は８０μｍ〜１２０μｍであることが好ましい。隣接する２つの電極ライン間の間隔が上記のような値を有する場合、プラズマディスプレイパネルの開口率を十分に確保してディスプレイ映像の輝度を増加させることができ、放電空間内における放電拡散効率を増加させることができる。
【００４１】
突出電極２０２ｃ、２０３ｃの幅Ｗ１は、３０μｍ〜７０μｍであることが好ましい。突出電極２０２ｃ、２０３ｃの幅が上記のような値を有する場合、プラズマディスプレイパネルの開口率が小さいとき、ディスプレイ装置の前面から反射されて出る光が突出電極２０２ｃ、２０３ｃによって塞がれ、映像の輝度が減少することを防止できる。
【００４２】
また、輝度の上昇のために、放電特性がなるべく低下しない程度に形成するとともに、突出部によるパネルの開口率を最大限に確保するために、突出電極の幅は３５μｍ〜４５μｍに形成できる。
突出電極２０２ｃ、２０３ｃ間の間隔ａは、６０μｍ〜１２０μｍであることが好ましい。突出電極２０２ｃ、２０３ｃ間の間隔ａが上記のような値を有する場合には、突出電極２０２ｃ、２０３ｃ間に放電が臨界数値以上に発生することによる電極寿命の短縮を防止することができる。すなわち、突出電極間の間隔があまりにも短いことにより過放電が発生することや、突出電極間の間隔があまりにも長いことにより放電が発生することを防止し、パネルの開口率を最大限に確保できるようになる。
【００４３】
ブリッジ電極２０２ｄ、２０３ｄは、維持電極対２０２、２０３のそれぞれを構成する２つの電極ライン（２０２ａと２０２ｂ、２０３ａと２０３ｂ）を連結する。ブリッジ電極２０２ｄ、２０３ｄは、突出電極２０２ｃ、２０３ｃを通じて開始した放電が放電セルの中心から遠い電極ライン２０２ｂ、２０３ｂまで容易に拡散できるようにする。
【００４４】
このように、本発明の第１実施形態に係る電極の構造は、電極ラインの個数を設定することで、開口率を向上させることができる。また、突出電極２０２ｃ、２０３ｃを形成することで、放電開始電圧を下げることができる。また、ブリッジ電極２０２ｄ、２０３ｄと放電セルの中心から遠い電極ライン２０２ｂ、２０３ｂによって放電拡散効率を増加させて、全体的にプラズマディスプレイパネルの発光効率を向上させることができる。すなわち、従来のプラズマディスプレイパネルの明るさと同等、または、より明るくなるので、ＩＴＯ透明電極を使用しない構成が可能になる。
【００４５】
図５は、本発明に係るプラズマディスプレイパネルに関する第２実施形態を示す斜視図である。図５に示すように、本発明に係るプラズマディスプレイパネルの第２実施形態は、所定の間隔をおいて貼り合わされる上部パネル４００と、下部パネル４１０と、を含む。維持電極対４０２、４０３に交差（ｉｎｔｅｒｓｅｃｔ）する方向に下部基板４１１上に形成されるアドレス電極４１３と、上部基板４０１と下部基板４１１との間に形成され、複数の放電セルを区画する隔壁４１２を含む。ここで、本発明の第２実施形態に係るプラズマディスプレイパネルの特徴のうち、本発明の第１実施形態で説明した内容と同一内容については説明を省略する。
【００４６】
本発明の第２実施形態に係る維持電極対４０２、４０３は、不透明な金属電極のみからなることが好ましい。それにより、プラズマディスプレイパネルの製造コストを低減することができる。すなわち、本発明に係るプラズマディスプレイパネルの維持電極対４０２、４０３のそれぞれは、従来のＩＴＯ電極を含まず、１つのバス電極からなる単一層で構成されることが好ましい。
【００４７】
例えば、本発明の実施形態に係る維持電極対４０２、２０３のそれぞれを銀で形成することが好ましく、銀は感光性の性質を有することが好ましい。また、本発明の実施形態に係る維持電極対４０２、４０３のそれぞれは、上部基板４０１に形成される上部誘電体層４０４よりも色が暗く、光の透過度が更に低い性質を有することが好ましい。
【００４８】
また、図５はＲ、Ｇ、Ｂそれぞれの単位放電セルを示すものであって、１つの放電セル内には維持電極対４０２、４０３のそれぞれが複数個の電極ラインで形成される。これは開口率と放電拡散効率を考慮したものである。また、本発明の第２実施形態では、放電セルの中心方向と反対方向に延びる第２突出電極４０２ｅ、４０３ｅを備えることで、本発明の第１実施形態よりも向上した放電効率を有することができる。
【００４９】
図５に示す構造は本発明に係るプラズマパネルの構造に関する一実施形態に過ぎないので、本発明は図５に示すプラズマディスプレイパネルの構造に限定されない。
【００５０】
図５に示す本発明の第２実施形態に係る維持電極対４０２、４０３の構造に関するより詳細な説明は、図６Ａ、図６Ｂ、図７Ａ、図７Ｂ及び図８で後述する。
【００５１】
図６Ａ乃至図６Ｂは、本発明に係るプラズマディスプレイパネルの電極構造に関する第２実施形態を示す断面図である。図６Ａ乃至図６Ｂでは、図５に示すプラズマディスプレイパネルのうち、１つの放電セル内に形成される維持電極対４０２、４０３の配置構造のみを簡略に示している。
【００５２】
図６Ａに示すように、維持電極対４０２、４０３のそれぞれは、放電セルを横切る少なくとも２つの電極ライン４０２ａ、４０２ｂ、４０３ａ、４０３ｂと、放電セルの中心に最も近い電極ライン４０２ａ、４０３ａに連結され、放電セル内で放電セルの中心方向に突出する第１突出電極４０２ｃ、４０３ｃと、２つの電極ライン（４０２ａと４０２ｂ、４０３ａと４０３ｂ）を連結するブリッジ電極４０２ｄ、４０３ｄと、放電セルの中心から最も遠い電極ライン４０２ｂ、４０３ｂに連結され、放電セル内で放電セルの中心と反対方向に突出する第２突出電極４０２ｅ、４０３ｅと、を含む。
【００５３】
電極ライン４０２ａ、４０２ｂ、４０３ａ、４０３ｂは、放電セルを横切って、プラズマディスプレイパネルの一方向に延びる。本発明の第２実施形態に係る電極ラインは、開口率を向上させるために幅を狭く形成することが好ましい。好ましくは、電極ラインの幅Ｗ１を２０μｍ以上７０μｍ以下にして開口率を向上させるとともに、放電がスムーズに発生するようにすることが好ましい。
【００５４】
図６Ａに示すように、放電セルの中心に近い電極ライン４０２ａ、４０３ａは、第１突出電極４０２ｃ、４０３ｃとそれぞれ連結され、放電セルの中心に近い電極ライン４０２ａ、４０３ａは、放電が開始すると同時に放電拡散が開始する経路を形成する。放電セルの中心から遠い電極ライン４０２ｂ、４０３ｂは、第２突出電極４０２ｅ、４０３ｅとそれぞれ連結される。放電セルの中心から遠い電極ライン４０２ｂ、４０３ｂは、放電セル周辺部まで放電を広げる役割を果たす。
【００５５】
第１突出電極４０２ｃ、４０３ｃは、１つの放電セル内で放電セルの中心に近い電極ライン４０２ａ、４０３ａに連結され、放電セルの中心方向に突出する。第１突出電極４０２ｃ、４０３ｃは、電極ライン４０２ａ、４０３ａの中心に形成されることが好ましい。第１突出電極４０２ｃ、４０３ｃが互いに対応して電極ラインの中心に形成されることで、プラズマディスプレイパネルの放電開始電圧をより一層効率よく下げることができる。
【００５６】
突出電極４０２ｃ、４０３ｃの幅Ｗ１は３０μｍ〜７０μｍであることが好ましく、突出電極４０２ｃ、４０３ｃ間の間隔ａは６０μｍ〜１２０μｍであることが好ましい。突出電極４０２ｃ、４０３ｃの幅及び間隔の上限値と下限値に関する臨界的意味は、図４を参照して説明した内容と同一であるため、ここでは説明を省略する。
【００５７】
ブリッジ電極４０２ｄ、４０３ｄは、維持電極対４０２、４０３のそれぞれを構成する２つの電極ライン（４０２ａと４０２ｂ、４０３ａと４０３ｂ）を連結する。ブリッジ電極４０２ｄ、４０３ｄは、突出電極を通じて開始した放電が放電セルの中心から遠い電極ライン４０２ｂ、４０３ｂまで容易に広がるようにする。ここで、ブリッジ電極４０２ｄ、４０３ｄは放電セル内に位置しているが、必要に応じて放電セルを区画する隔壁４１２上に形成することも可能である。
【００５８】
それにより、本発明に係るプラズマディスプレイパネルの電極構造に関する第２実施形態では、電極ライン４０２ｂ、４０３ｂと隔壁４１２との間の空間にも放電を拡散させることができる。このように放電拡散効率を増加させることで、プラズマディスプレイパネルの発光効率を向上させることができる。
【００５９】
また、第２突出電極４０２ｅ、４０３ｅは放電セルの中心から遠い電極ライン４０２ｂ、４０３ｂに連結され、放電セルの中心方向と反対方向に突出する。第２突出電極４０２ｅ、４０３ｅの長さは３０μｍ〜１００μｍであることが好ましく、上記のような値を有することで、放電セルの中心から遠い放電空間まで放電が効率よく広がるようにすることができ、パネルの開口率を２５％〜４５％に維持するとともに、それによりディスプレイ映像の輝度を向上させることができる。
【００６０】
このように、本発明ではディスプレイ映像の輝度を向上させるとともにコントラストを向上させ、駆動パネルの駆動マージンを確保するための電極の抵抗値を確保するために、本発明に係るプラズマディスプレイパネルの開口率を２５％〜４５％にすることが好ましい。
【００６１】
このとき、パネルの開口率は、パネルの有効表示領域の開口率、すなわち、パネルの放電セルのうちディスプレイ映像に影響を及ぼす放電セルが位置する領域の面積における開口率であることが好ましい。
【００６２】
図６Ａに示すように、第２突出電極４０２ｅ、４０３ｅを放電セルを区画する隔壁４１２まで延ばすことができる。また、開口率が他の部分で十分に補償できるなら、放電拡散効率をより一層向上させるために、第２突出電極４０２ｅ、４０３ｅを隔壁４１２上に一部延長することも可能である。但し、第２突出電極４０２ｅ、４０３ｅが隔壁４１２まで延長しない場合、第２突出電極４０２ｅ、４０３ｅとそれに隣接する隔壁４１２間の間隔は７０μｍ以下であることが好ましい。第２突出電極４０２ｅ、４０３ｅと隔壁４１２との間の間隔が７０μｍ以下である場合、放電セルの中心から遠い放電空間まで放電が効率よく広がり得る。
【００６３】
本発明の第２実施形態では、第２突出電極４０２ｅ、４０３ｅを電極ライン４０２ｂ、４０３ｂの中心に形成して、放電セルの周辺部に放電を均一に拡散させることが好ましい。
【００６４】
一方、本発明の第２実施形態では、放電セルを区画する隔壁のうち、第２突出電極４０２ｅ、４０３ｅが延びる方向に位置する隔壁の幅Ｗｂを２００μｍ以下に形成することが好ましい。また、外部光を吸収して明室コントラストを確保し、放出される放電光が隣接する放電セルに広がって表示されるのを防止するためのブラックマトリクス（図示せず)を隔壁４１２上に形成することが好ましい。隔壁４１２の幅を２００μｍ以下に設定することで、放電セルの面積が増加する。それにより、発光効率を増加させることができ、第２突出電極などにより開口率が減少するのを補償することができる。第２突出電極が延びる方向に位置する隔壁の幅Ｗｂを９０μｍ〜１００μｍにすることが好ましく、これにより最適な発光効率を得ることができる。
【００６５】
また、図６Ｂを参照すれば、突出部４０３ｃは曲率を有する曲線部分を含むことができる。図６Ｂに示すように、突出部４０３ｃが曲線状に形成される場合、電極の製造工程をより容易にすることができる。また、パネルの駆動時に壁電荷が特定位置に過度に集中するのを防止することができ、それにより放電特性を安定させて駆動安全性を向上させることができる。
【００６６】
図６Ｂに示すように、突出部４０３ｃが曲線状に形成される場合、突出部４０３ｃの幅Ｗを突出部４０３ｃの中間部分の幅として定義することが好ましい。
【００６７】
また、ブリッジ電極４０２ｄ、４０３ｄと電極ライン４０２ａ、４０３ａが連結される部分についても、図５Ｂに示す突出部４０３ｃのように曲率を有することができる。
【００６８】
図７Ａ乃至図７Ｂは、本発明に係るプラズマディスプレイパネルの電極構造に関する第３実施形態を説明するための断面図である。図７Ａ乃至図７Ｂに示す電極構造のうち、図６で説明した内容と同一内容については説明を省略する。
【００６９】
図７Ａに示すように、本発明に係る電極構造に関する第３実施形態では、維持電極対６０２、６０３のそれぞれに２つの第１突出電極６０２ａ、６０３ａが形成される。第１突出電極６０２ａ、６０３ａは、放電セルの中心に近い電極ラインに連結され、放電セルの中心方向に突出する。第１突出電極６０２ａ、６０３ａのそれぞれは、電極ラインの中心を基準として互いに対称に形成されることが好ましい。
【００７０】
第１突出電極６０２ａ、６０３ａの幅は３０μｍ〜７０μｍであることが好ましい。突出電極幅の上限値と下限値に関する臨界的意味は、図４を参照して説明した内容と同一であるため、ここでは説明を省略する。
【００７１】
１つの電極ラインから突出した２つの第１突出電極間の間隔ｄ１、ｄ２は、プラズマディスプレイパネルが４２インチの大きさで、且つＶＧＡの解像度を有する場合には５０〜１００μｍにすることが好ましく、プラズマディスプレイパネルが４２インチの大きさで、且つＸＧＡの解像度を有する場合には３０〜８０μｍにすることが好ましく、プラズマディスプレイパネルが５０インチの大きさで、且つＸＧＡの解像度を有する場合には４０〜９０μｍにすることが好ましい。
【００７２】
第１突出電極間の間隔ｄ１、ｄ２が上記のような範囲を有するとき、ディスプレイ装置に要求される映像の輝度を実現できる開口率の確保が可能であり、第１突出電極が隔壁に近接し過ぎて無効電力が増加することによってディスプレイで消費される電力が限界値以上に増加することを防止することができる。
【００７３】
維持電極対６０２、６０３のそれぞれに２つの第１突出電極６０２ａ、６０３ａを形成することで、放電セルの中心における電極面積が増加する。それにより、放電開始前には放電セル内に空間電荷が多く形成されて放電開始電圧が更に低くなり、放電速度が速くなる。また、放電開始後には壁電荷量が増加して輝度が上昇し、放電が放電セルの全体に均一に広がる。
【００７４】
また、第１突出電極６０２ａ、６０３ａ間の間隔ａ１、ａ２、すなわち、電極ライン６０２、６０３と交差する方向における２つの突出電極６０２ａ、６０３ａ間の間隔ａ１、ａ２は１５〜１６５μｍであることが好ましい。突出電極間の間隔の上限値と下限値の臨界的意味は、図４を参照して説明した内容と同一であるため、ここでは説明を省略する。
【００７５】
一方、図７Ｂに示すように、突出電極のうちの少なくとも１つは曲率を有する部分を含むことができる。例えば、突出電極の終端が曲線形状を有することができ、ブリッジ電極とライン電極が隣接する部分において突出電極が曲率を有することもできる。この場合、製造工程において微細な突出電極の形状を容易に製造できる。滑らかな終端処理により放電特性を向上させることができる。また、ＰＤＰの駆動時に壁電荷が特定位置に過度に集中することを防止することができ、それにより放電特性を安定させて、駆動の安全性を向上させることができる。
【００７６】
図８は、本発明に係るプラズマディスプレイパネルの電極構造に関する第４実施形態を示す断面図である。図８に示す電極構造のうち、図６Ａ、図６Ｂ、図７Ａ及び図７Ｂで説明した内容と同一内容については説明を省略する。
【００７７】
図８に示すように、本発明に係る電極構造に関する第４実施形態では、維持電極対７０２、７０３のそれぞれに３個の第１突出電極７０２ａ、７０３ａが形成される。
【００７８】
第１突出電極７０２ａ、７０３ａは、電極ラインのうち放電セルの中心に近い電極ラインに連結され、放電セルの中心方向に突出する。何れか１つの第１突出電極が電極ラインの中心に形成され、残り２つの第１突出電極が電極ラインの中央を基準として互いに対称に形成されることが好ましい。維持電極対７０２、７０３のそれぞれに３個の第１突出電極７０２ａ、７０３ａを形成することで、図６Ａ、図６Ｂ、図７Ａ及び図７Ｂの場合よりも放電開始電圧が更に低くなり、放電速度も更に速くなる。また、放電開始後には輝度が更に上昇し、放電が放電セル全体に更に均一に広がる。
【００７９】
上述したように、第１突出電極の個数を増加させることで、放電セルの中心における電極面積が増加して放電開始電圧が低くなり、輝度が増加する。その反面、放電セルの中心で最も強い放電が発生し、最も明るい放電光が放出されるということを考慮すべきである。すなわち、第１突出電極の個数が増加するほど、放電セルの中心から放出される光を遮断することになり、結果として放出される光が顕著に減少することや、放電開始電圧及び輝度効率をともに考慮して、最善の個数を選択して維持電極の構造を設計することが好ましい。
【００８０】
第１突出電極７０２ａ、７０３ａの幅は３０μｍ〜７０μｍであることが好ましく、第１突出電極７０２ｃ、７０３ｃ間の間隔ａ１、ａ２、ａ３は６０μｍ〜１２０μｍであることが好ましい。第１突出電極７０２ａ、７０３ａの幅及び間隔の上限値と下限値に関する臨界的意味は、図４を参照して説明した内容と同一であるため、ここでは説明を省略する。
【００８１】
図９は、本発明に係るプラズマディスプレイパネルの電極構造に関する第５実施形態を示す断面図である。図９においては、維持電極対８００、８１０のそれぞれは、放電セルを横切る３個の電極ライン８００ａ、８００ｂ、８００ｃと、８１０ａ、８１０ｂ、８１０ｃと、を含む。当該電極ラインは放電セルを横切ってプラズマディスプレイパネルの一方向に延びる。当該電極ラインは、開口率の向上のために幅が狭く形成され、３０μｍ〜７０μｍの幅を有することが好ましく、これにより開口率を向上させるとともに放電がスムーズに起きるようになる。
【００８２】
維持電極対の電極ライン８００ａ、８００ｂ、８００ｃと、８１０ａ、８１０ｂ、８１０ｃの厚さは３μｍ〜７μｍであることが好ましく、それぞれの維持電極を構成する３個の電極ライン間の間隔ａ１、ａ２は互いに同一であってもよいし、異なっていてもよい。また、当該電極ラインの幅ｂ１、ｂ２、ｂ３も互いに同一であってもよいし、異なっていてもよい。
【００８３】
図１０は、本発明に係るプラズマディスプレイパネルの電極構造に関する第６実施形態を示す断面図である。図１０においては、維持電極対９００、９１０のそれぞれが放電セルを横切る４個の電極ライン９００ａ、９００ｂ、９００ｃ、９００ｄと、９１０ａ、９１０ｂ、９１０ｃ、９１０ｄと、を含む。当該電極ラインは放電セルを横切ってプラズマディスプレイパネルの一方向に延びる。当該電極ラインは、開口率の向上のために幅が狭く形成され、３０μｍ〜７０μｍの幅を有するようにすることが好ましく、これにより開口率を向上させるとともに、放電がスムーズに起きるようになる。
【００８４】
維持電極対９００、９１０の電極ライン９００ａ、９００ｂ、９００ｃ、９００ｄと、９１０ａ、９１０ｂ、９１０ｃ、９１０ｄの厚さは３μｍ〜７μｍであることが好ましい。当該電極ラインの厚さの上限値と下限値に関する臨界的意味は、図２を参照して説明した内容と同一であるため、ここでは説明を省略する。
【００８５】
それぞれの維持電極を構成する４個の電極ライン間の間隔ｃ１、ｃ２、ｃ３は互いに同一であってもよいし、異なっていてもよい。また、当該電極ラインの幅ｄ１、ｄ２、ｄ３、ｄ４も互いに同一であってもよいし、異なっていてもよい。
【００８６】
図１１は、本発明に係るプラズマディスプレイパネルの電極構造に関する第７実施形態を示す断面図である。図１１においては、維持電極対１０００、１０１０のそれぞれが放電セルを横切る４個の電極ライン１０００ａ、１０００ｂ、１０００ｃ、１０００ｄと、１０１０ａ、１０１０ｂ、１０１０ｃ、１０１０ｄと、を含む。当該電極ラインは放電セルを横切ってプラズマディスプレイパネルの一方向に延びる。
【００８７】
当該維持電極対の電極ライン１０００ａ、１０００ｂ、１０００ｃ、１０００ｄと、１０１０ａ、１０１０ｂ、１０１０ｃ、１０１０ｄの厚さは３〜７μｍであることが好ましい。当該電極ラインの厚さの上限値と下限値に関する臨界的意味は、図２を参照して説明した内容と同一であるため、ここでは説明を省略する。
【００８８】
ブリッジ電極１０２０、１０３０、１０４０と、１０５０、１０６０、１０７０は、それぞれ２個の電極ラインを連結する。ブリッジ電極１０２０、１０３０、１０４０と、１０５０、１０６０、１０７０は、開始した放電が放電セルの中心から遠い電極ラインまで容易に広がるようにする。図１１に示すように、当該ブリッジ電極１０２０、１０３０、１０４０と、１０５０、１０６０、１０７０の位置は互いに一致しなくてもよいし、何れか１つのブリッジ電極（この例ではブリッジ電極１０４０）が隔壁１０８０上に位置してもよい。
【００８９】
図１２は、本発明に係るプラズマディスプレイパネルの電極構造に関する第８実施形態を示す断面図である。図１２においては、図１１に示す場合とは異なり、電極ラインを連結するブリッジ電極が同じ位置に形成されて、維持電極対１１００、１１１０のそれぞれに対して、４個の電極ライン１１００ａ、１１００ｂ、１１００ｃ、１１００ｄと、１１１０ａ、１１１０ｂ、１１１０ｃ、１１１０ｄを連結する１つのブリッジ電極１１２０、１１３０がそれぞれ形成されている。
【００９０】
当該維持電極対の電極ライン１１００ａ、１１００ｂ、１１００ｃ、１１００ｄと、１１１０ａ、１１１０ｂ、１１１０ｃ、１１１０ｄの厚さは３〜７μｍであることが好ましい。当該電極ラインの厚さの上限値と下限値に関する臨界的意味は、図２を参照して説明した内容と同一であるため、ここでは説明を省略する。
【００９１】
図１３は、本発明に係るプラズマディスプレイパネルの電極構造に関する第９実施形態を示す断面図である。図１３においては、電極ライン１２００、１２１０のそれぞれに対して閉ループ（ｃｌｏｓｅｄ ｌｏｏｐ）を含む形態の突出電極１２２０、１２３０が形成されている。図１３に示すような閉ループを含む突出電極１２２０、１２３０を通じて、放電開始電圧を下げるとともに開口率を向上させることができる。突出電極１２２０、１２３０及び閉ループの形態は多様に変形可能である。
【００９２】
維持電極対の電極ライン１２００、１２１０の厚さは３〜７μｍであることが好ましい。当該電極ラインの厚さの上限値と下限値に関する臨界的意味は、図２を参照して説明した内容と同一であるため、ここでは説明を省略する。
【００９３】
突出電極１２２０、１２３０の線幅Ｗ１、Ｗ２は３０μｍ〜７０μｍであることが好ましい。突出電極１２２０、１２３０の線幅Ｗ１、Ｗ２が上記のような値を有する場合、充分なパネルの開口率を確保してディスプレイ装置の前面から反射されて出る光が当該突出電極によって塞がれ、映像の輝度が減少することを防止することができる。
【００９４】
また、２つの突出電極１２２０、１２３０間の間隔は６０μｍ〜１２０μｍであることが好ましい。当該突出電極間の間隔の上限値と下限値に関する臨界的意味は、図４を参照して説明した内容と同一であるため、ここでは説明を省略する。
【００９５】
図１４は、本発明に係るプラズマディスプレイパネルの電極構造に関する第１０実施形態を示す断面図である。図１４においては、電極ライン１３００、１３１０のそれぞれに対して、四角状の閉ループを含む突出電極１３２０、１３３０が形成されている。
【００９６】
維持電極対の電極ライン１３００、１３１０の厚さは３μｍ〜７μｍであることが好ましい。当該電極ラインの厚さの上限値と下限値の臨界的意味は、図２を参照して説明した内容と同一であるため、ここでは説明を省略する。
【００９７】
突出電極１３２０、１３３０の線幅Ｗ１、Ｗ２は３０μｍ〜７０μｍであることが好ましい。当該突出電極１３２０、１３３０の線幅Ｗ１、Ｗ２の上限値と下限値の臨界的意味は、図１３を参照して説明した内容と同一であるため、ここでは説明を省略する。
【００９８】
また、２つの突出電極１３２０、１３３０間の間隔は６０μｍ〜１２０μｍであることが好ましい。当該突出電極間の間隔の上限値と下限値に関する臨界的意味は、図４を参照して説明した内容と同一であるため、ここでは説明を省略する。
【００９９】
図１５Ａ及び図１５Ｂは、本発明に係るプラズマディスプレイパネルの電極構造に関する第１１実施形態を示す断面図である。図１５Ａ及び図１５Ｂにおいて、電極ライン１４００、１４１０のそれぞれに対して、放電セルの中心方向に突出した第１突出電極１４２０ａ、１４２０ｂと、１４３０ａ、１４３０ｂ、及び、放電セルの中心方向またはその反対方向に突出した第２突出電極１４４０、１４５０（図１５Ａ参照）と、１４６０、１４７０（図１５Ｂ参照）と、が形成されている。
【０１００】
図１５Ａに示すように、電極ライン１４００、１４１０のそれぞれに対して、放電セルの中心方向に突出した２個の第１突出電極１４２０ａ、１４２０ｂと、１４３０ａ、１４３０ｂを形成し、放電セルの中心方向の反対方向に突出した１つの第２突出電極１４４０、１４５０を形成することが好ましい。または、図１５Ｂに示すように、第２突出電極１４６０、１４７０が放電セルの中心方向に突出してもよい。
【０１０１】
維持電極対の電極ライン１４００、１４１０の厚さは３μｍ〜７μｍであることが好ましい。当該電極ラインの厚さの上限値と下限値に関する臨界的意味は、図２を参照して説明した内容と同一であるため、ここでは説明を省略する。
【０１０２】
第１突出電極１４２０ａ、１４２０ｂと、１４３０ａ、１４３０ｂの幅は３０μｍ〜７０μｍであることが好ましい。当該突出電極の幅の上限値と下限値に関する臨界的意味は、図４を参照して説明した内容と同一であるため、ここでは説明を省略する。
【０１０３】
１つの電極ラインから突出した２つの第１突出電極間の間隔ｄ１、ｄ２は、プラズマディスプレイパネルが４２インチの大きさで、且つＶＧＡの解像度を有する場合には５０μｍ〜１００μｍであることが好ましく、プラズマディスプレイパネルが４２インチの大きさで、且つＸＧＡの解像度を有する場合には５０μｍ〜１００μｍであることが好ましく、５０インチの大きさで、且つＸＧＡの解像度を有する場合には４０μｍ〜９０μｍであることが好ましい。当該第１突出電極間の間隔ｄ１、ｄ２の上限値と下限値に関する臨界的意味は、図７を参照して説明した内容と同一であるため、ここでは説明を省略する。
【０１０４】
もう１つの第１突出電極間の間隔、すなわち１４２０ａと１４３０ａとの間隔ａ１、または、１４２０ｂと１４３０ｂとの間隔ａ２は６０μｍ〜１２０μｍであることが好ましい。当該突出電極間の間隔の上限値と下限値に関する臨界的意味は、図４を参照して説明した内容と同一であるため、ここでは説明を省略する。
【０１０５】
ここで、図２に示す本発明に係るプラズマディスプレイパネルの放電セル構造の第１実施形態に関して、図１６乃至図１８を参照して詳細に説明する。
【０１０６】
図１６を参照すれば、本発明のプラズマディスプレイ装置の放電セルの構造に関する第１実施形態は、図１６に示すように、Ｒ放電セルの両側に配置された縦隔壁間の距離ａと、Ｂ放電セルの両側に配置された縦隔壁間の距離ｂと、Ｂ放電セルの両側に配置された縦隔壁間の距離ｃと、が互いに異なることが好ましい。その場合、互いに異なる色を発光する放電セルのそれぞれは、その色によって色温度及び発光効率が異なるため、それぞれの放電セルの大きさを異なるようにして放電セル間の色温度及び発光効率を補正することができる。
【０１０７】
以下の表１は、Ｒ、Ｇ、Ｂ放電セルの大きさに対する色温度を測定した実験結果であって、同一構造を有する３つのパネルに対して実験したものである。
【０１０８】
【表１】
2007324115.tif 000003
【０１０９】
表１を参照すれば、複数の放電セルのうち、隔壁により区画されるＧ放電セルの大きさを一定に維持し、Ｒ放電セルとＢ放電セルの大きさを可変させた。Ｇ放電セルに対するＲ放電セルの大きさを１.０３倍に大きく形成し、Ｇ放電セルに対するＢ放電セルの大きさを０.９７倍に小さく形成した場合には、Ｒ、Ｇ、Ｂ放電セルの大きさが何れも同一である場合に比べて、３つのパネルの色温度（Ａ、Ｂ、Ｃ)が何れも減少することが分かる。しかし、Ｇ放電セルの大きさを一定に維持し、Ｒ放電セルの大きさを０.９１倍〜０.９７倍に小さく形成し、Ｂ放電セルの大きさを１.０３倍〜１.０９倍に大きく形成した場合には、３つのパネルの色温度（Ａ、Ｂ、Ｃ)が順次増加することが分かる。すなわち、Ｒ放電セルを区画する縦隔壁間の距離ａをＧ放電セルを区画する縦隔壁間の距離ｂよりも小さく形成することが好ましく、Ｂ放電セルを区画する縦隔壁間の距離ｃをＧ放電セルを区画する縦隔壁間の距離ｂよりも大きく形成することが好ましい。例えば、Ｒ放電セルを区画する縦隔壁間の距離ａは、Ｇ放電セルを区画する縦隔壁間の距離ｂの０.８０倍〜０.９９倍であり、１つの放電セルの大きさに対する製造工程を考慮すると、０.９１倍〜０.９７倍に形成することが好ましい。また、Ｂ放電セルを区画する縦隔壁間の距離ｃは、Ｇ放電セルを区画する縦隔壁間の距離ｂの１.０１倍〜１.２倍に形成することが好ましく、製造工程において放電セルを形成する上での容易性を考慮すると、１.０３倍〜１.０９倍であることが好ましい。その場合、本発明の実施形態に係るＲ、Ｇ及びＢ放電セルの大きさの比率は、パネルの色温度、色座標及び輝度を考慮した場合に各因子が向上する範囲である。
【０１１０】
図１６を参照すれば、本発明のプラズマディスプレイパネルの放電セルの構造は、横隔壁２１２ｂと縦隔壁２１２ａにより放電セルが区分されたクローズタイプの構造を有することができる。または、図１７に示すように、チャネル型構造のプラズマディスプレイパネルにおいても、Ｒ、Ｇ、Ｂ放電セルのそれぞれの大きさが異なるように形成して、パネルの色温度及び発光効率を改善することができる。図１７に示す放電セル構造のうち、図１６で説明した内容と同一内容については説明を省略する。
【０１１１】
図１８は、本発明に係るプラズマディスプレイパネルの放電セル構造の第２実施形態を説明するための図である。
【０１１２】
図１８を参照すれば、本発明の第２実施形態に係るプラズマディスプレイパネルは、縦隔壁２１２ａにより区画される放電セルのうち、Ｒ放電セルとＧ放電セルを実質的に同じ大きさで形成し、Ｂ放電セルをＲ、Ｇ放電セルと互いに異なる大きさで形成することが好ましい。すなわち、色温度特性において最も差があるＢ放電セルの大きさのみを大きく調節することで、パネルの色温度を補正して、パネルの全般的な色温度特性が均一な分布を有することができる。
【０１１３】
例えば、Ｂ放電セルを区画する隔壁の大きさｃ１をＲ放電セルまたはＧ放電セルを区画する隔壁の大きさａ１の１.０１倍〜１.２０倍に形成することができる。そのような場合、Ｂ色温度特性が低く、発光効率が低いＢ放電セルの大きさを大きくすることで、パネルによって表示される画像の色温度及び発光効率による輝度を改善することができ、１つの放電セルの大きさに係る製造工程上の容易性を考慮すると、１.０３倍〜１.０９倍に形成することが好ましい。
【０１１４】
一方、本発明のプラズマディスプレイパネルの放電セルの大きさは、それぞれの放電セルに塗布される蛍光体の特性、例えば蛍光体が発光する色による色温度、発光効率、輝度などによって放電セルの大きさを異なるようにすることができる。
【０１１５】
図１９は、上記のような構造を有する本発明に係るプラズマディスプレイパネルの１フレームを複数のサブフィールドに分割し、時分割駆動する方法に対する一実施形態を示す図である。
【０１１６】
図１９を参照すれば、単位フレームを階調表示を実現するために、所定の個数、例えば８個のサブフィールドＳＦ１、．．．、ＳＦ８に分割して時分割駆動することができる。また、各サブフィールドは、リセット期間（図示せず）、アドレス期間Ａ１、．．．、Ａ８、及びサステイン期間Ｓ１、．．．、Ｓ８に分割される。
【０１１７】
各アドレス期間Ａ１、．．．、Ａ８ではアドレス電極Ｘにデータ信号が印加され、各スキャン電極Ｙにはこれに相応するスキャンパルスが順次印加される。各サステイン期間Ｓ１、．．．、Ｓ８ではスキャン電極Ｙとサステイン電極Ｚにサステインパルスが交互に印加されて、アドレス期間Ａ１、．．．、Ａ８から選択された放電セルでサステイン放電を発生させる。
【０１１８】
プラズマディスプレイパネルの輝度は、単位フレームに占めるサステイン期間Ｓ１、．．．Ｓ８内のサステイン放電の回数に比例する。１画像を形成する１つのフレームが８個のサブフィールドと２５６階調で表現される場合、各サブフィールドには順に１、２、４、８、１６、３２、６４、１２８の割合で互いに異なるサステインパルスの数が割り当てられる。例えば１３３階調の輝度を得るためには、サブフィールド１期間、サブフィールド３期間及びサブフィールド８期間の間にセルをアドレスしてサステイン放電を発生させればよい。
【０１１９】
各サブフィールドに割り当てられるサステイン放電の数は、ＡＰＣ（Ａｕｔｏｍａｔｉｃ ｐｏｗｅｒ Ｃｏｎｔｒｏｌ）段階によるサブフィールドの加重値に応じて可変的に決定することができる。
【０１２０】
すなわち、図１９では１フレームを８個のサブフィールドに分ける場合を例に挙げて説明したが、本発明はこれに限定されるのでなく、１フレームを形成するサブフィールドの数を設計仕様に応じて多様に変形可能である。例えば、１フレームを１２または１６サブフィールドなどのように、８サブフィールド以上または以下に分割してプラズマディスプレイパネルを駆動させることができる。
【０１２１】
また、各サブフィールドに割り当てられるサステイン放電の数は、ガンマ特性やパネル特性を考慮して多様に変形可能である。例えば、サブフィールド４に割り当てられた階調度を８から６に下げ、サブフィールド６に割り当てられた階調度を３２から３４に上げることができる。
【０１２２】
図２０は、本発明に係るプラズマディスプレイパネルを駆動させるための駆動信号に対する一実施形態を示す図である。
【０１２３】
図２０を参照すれば、まず、サブフィールドＳＦは放電セルの内部の電荷を初期化させるリセット期間と、画像が表示される放電セル、あるいは画像が表示されない放電セルを選択するアドレス期間と、アドレス期間に選択された画像が表示される放電セルにサステイン放電を発生させて画像を表示するサステイン期間と、に区分される。リセット期間は、さらにセットアップ期間とセットダウン期間とに区分される。セットアップ期間においては、スキャン電極（Ｙ）に次第に上昇するセットアップ信号が印加されて、全ての放電セル内でセットアップ放電が発生して壁電荷が蓄積される。セットダウン期間においては、次第に下降するセットダウン信号を印加して微弱な消去放電を発生させ、それにより、アドレス放電が安定して発生できる程度の壁電荷が放電セルの内部に均一に残留する。
【０１２４】
また、リセット期間以前にはプリリセット期間が存在し、壁電荷の充分な形成を補助し、リセット期間以前にスキャン電極（Ｙ）の電圧値が次第に減少する波形を印加する間、サステイン電極（Ｚ）に正極性の電圧を印加して、プリリセット放電を発生させる。そのようなプリリセット期間は、駆動マージンを考慮すると、最初のサブフィールドＳＦ１にのみ存在することが好ましい。
【０１２５】
アドレス期間においては、スキャン信号が各スキャン電極（Ｙ）に順次印加されると同時に、アドレス電極（Ｘ）にスキャン電極（Ｙ）に印加されるスキャン信号と同期する正極性のデータ信号が印加される。そのようなスキャン信号及びデータ信号の電圧差と、リセット期間において生成された壁電圧とが合わせられて、放電セルの内部ではアドレス放電が発生し、サステイン放電のための壁電荷が形成される。
【０１２６】
サステイン期間にはスキャン電極（Ｙ）とサステイン電極（Ｚ）に交互にサステイン信号が印加され、アドレス放電により選択された放電セルにおいて、それぞれのサステイン信号が印加される度にサステイン放電、すなわち、表示放電が発生する。
【０１２７】
一方、図２０に示す波形は本発明に係るプラズマディスプレイパネルを駆動させるための信号に関する一実施形態であって、当該図２０に示す波形によって本発明は限定されない。例えば、リセット期間を１つのフレームを構成する複数個のサブフィールドのうち、少なくとも１つにおいて省略してもよく、最初のサブフィールドにのみリセット期間が存在するようにしてもよく、プリリセット期間を省略してもよい。
【０１２８】
図２０に示す駆動信号の極性及び電圧レベルは必要に応じて変更可能である。また、サステイン放電が完了した後に壁電荷を消去するための消去信号をサステイン電極（Ｚ）に印加してもよく、サステイン信号がスキャン電極（Ｙ）とサステイン電極（Ｚ）の何れか１つにのみ印加されてサステイン放電を発生させるシングル・サステイン（ｓｉｎｇｌｅ ｓｕｓｔａｉｎ）駆動を行ってもよい。
【０１２９】
以上、本発明に係るプラズマディスプレイ装置を例示する図面に基づいて説明したが、本明細書に開示された実施形態と図面により本発明が限定されるのではなく、特許請求の範囲の記載から把握される技術的範囲において種々の実施形態に変更可能である。
【図面の簡単な説明】
【０１３０】
【図１】一般のプラズマディスプレイパネルの構造を示す図である。
【図２】本発明に係るプラズマディスプレイ装置に備えられるパネルの構造に対する一実施形態を示す図である。
【図３】プラズマディスプレイパネルの電極配置に対する一実施形態を示す図である。
【図４】本発明に係るプラズマディスプレイパネルの電極構造に対する第１実施形態を示す断面図である。
【図５】本発明に係るプラズマディスプレイパネルに対する第２実施形態を示す斜視図である。
【図６Ａ】本発明に係るプラズマディスプレイパネルの電極構造に関する第２実施形態を示す断面図である。
【図６Ｂ】本発明に係るプラズマディスプレイパネルの電極構造に関する第２実施形態を示す断面図である。
【図７Ａ】本発明に係るプラズマディスプレイパネルの電極構造に関する第３実施形態を示す断面図である。
【図７Ｂ】本発明に係るプラズマディスプレイパネルの電極構造に関する第３実施形態を示す断面図である。
【図８】本発明に係るプラズマディスプレイパネルの電極構造に関する第４実施形態を示す断面図である。
【図９】本発明に係るプラズマディスプレイパネルの電極構造に関する第５実施形態を示す断面図である。
【図１０】本発明に係るプラズマディスプレイパネルの電極構造に関する第６実施形態を示す断面図である。
【図１１】本発明に係るプラズマディスプレイパネルの電極構造に関する第７実施形態を示す断面図である。
【図１２】本発明に係るプラズマディスプレイパネルの電極構造に関する第８実施形態を示す断面図である。
【図１３】本発明に係るプラズマディスプレイパネルの電極構造に関する第９実施形態を示す断面図である。
【図１４】本発明に係るプラズマディスプレイパネルの電極構造に関する第１０実施形態を示す断面図である。
【図１５Ａ】本発明に係るプラズマディスプレイパネルの電極構造に関する第１１実施形態を示す断面図である。
【図１５Ｂ】本発明に係るプラズマディスプレイパネルの電極構造に関する第１１実施形態を示す断面図である。
【図１６】本発明に係るプラズマディスプレイパネルの放電セル構造の第１実施形態を示す図である。
【図１７】本発明に係るプラズマディスプレイパネルの放電セル構造の第１実施形態の変形例を示す図である。
【図１８】本発明に係るプラズマディスプレイパネルの放電セル構造の第２実施形態を示す図である。
【図１９】本発明に係るプラズマディスプレイパネルの１フレームを複数のサブフィールドに時分割駆動する方法に関する一実施形態を示す図である。
【図２０】本発明に係るプラズマディスプレイパネルを駆動させるための駆動信号に関する一実施形態を示す図である。
【図１】
2007324115.tif 000004
【図２】
2007324115.tif 000005
【図３】
2007324115.tif 000006
【図４】
2007324115.tif 000007
【図５】
2007324115.tif 000008
【図６Ａ】
2007324115.tif 000009
【図６Ｂ】
2007324115.tif 000010
【図７Ａ】
2007324115.tif 000011
【図７Ｂ】
2007324115.tif 000012
【図８】
2007324115.tif 000013
【図９】
2007324115.tif 000014
【図１０】
2007324115.tif 000015
【図１１】
2007324115.tif 000016
【図１２】
2007324115.tif 000017
【図１３】
2007324115.tif 000018
【図１４】
2007324115.tif 000019
【図１５Ａ】
2007324115.tif 000020
【図１５Ｂ】
2007324115.tif 000021
【図１６】
2007324115.tif 000022
【図１７】
2007324115.tif 000023
【図１８】
2007324115.tif 000024
【図１９】
2007324115.tif 000025
【図２０】
2007324115.tif 000026